(57)【要約】【課題】移動体の移動パターンを特定する。【解決手段】移動体の移動に伴う荷重の変化を検出する荷重検出部１１と、荷重検出部１１１による検出結果に基づいて第１の場所と第２の場所との間における移動体の移動パターンを特定する特定処理を実行する処理部４３とを備え、荷重検出部１１は、第１の場所と第２の場所とを結ぶ動線に沿って配置されて、荷重を受けたときに非接続状態から接続状態に切り替わるスイッチ部２１ａ，２１ｂを備えると共に、スイッチ部２１ａ，２１ｂ毎の接続状態および非接続状態を特定可能な検出信号Ｓｄａ，Ｓｄｂを出力する送信部２２を備えて構成され、処理部４３は、特定処理において、スイッチ部２１ａ，２１ｂ毎の接続状態および非接続状態の切替パターンを検出信号Ｓｄａ，Ｓｄｂに基づいて特定し、複数の移動パターンの中から切替パターンに対応する１つの移動パターンを特定する。【選択図】図１
2016012289.tif 000002
【特許請求の範囲】
【請求項１】
移動体の移動に伴う荷重の変化を検出する荷重検出部と、当該荷重検出部による検出結果に基づいて第１の場所と第２の場所との間における前記移動体の移動をパターン化した複数の移動パターンの中から１つの移動パターンを特定する特定処理を実行する処理部とを備え、
前記荷重検出部は、前記第１の場所と前記第２の場所とを結ぶ動線に沿って配置されて、前記荷重を受けたときに非接続状態から接続状態に切り替わるスイッチ部を複数備えると共に、当該スイッチ部毎の前記接続状態および前記非接続状態を特定可能な検出信号を前記検出結果として出力する信号出力部を備えて構成され、
前記処理部は、前記特定処理において、前記スイッチ部毎の前記接続状態および前記非接続状態の切替パターンを前記検出信号に基づいて特定し、前記複数の移動パターンの中から前記切替パターンに対応する前記１つの移動パターンを特定する処理装置。
【請求項２】
前記荷重検出部は、隣接する前記各スイッチ部における隣接する縁部同士が成人用靴の靴底の長さに相当する長さだけ互いに離間するように配置されている請求項１記載の処理装置。
【請求項３】
前記荷重検出部は、前記動線に沿って配置された一対の前記スイッチ部を備えて構成され、
前記処理部は、前記特定処理において、前記一対のスイッチ部のうちの前記第１の場所および前記第２の場所のいずれか一方側に位置する第１のスイッチ部が前記非接続状態から前記接続状態に切り替わった後に当該一対のスイッチ部の他方としての第２のスイッチ部が前記非接続状態から前記接続状態に切り替わる前記切替パターンを特定したときに、前記第１の場所および前記第２の場所の前記いずれか一方から他方に向けて移動する移動パターンを前記１つの移動パターンとして特定する請求項１または２記載の処理装置。
【請求項４】
前記荷重検出部は、前記動線に沿って配置された一対の前記スイッチ部を１組とする集合体が前記動線に直交する方向に沿って複数配置されて構成され、
前記処理部は、前記特定処理において、複数の移動体の前記移動パターンを前記複数の集合体の前記各検出結果に基づいて特定する請求項１または２記載の処理装置。
【発明の詳細な説明】
【技術分野】
【０００１】
本発明は、移動体の移動に伴う荷重の変化を検出してその検出結果に基づいて移動体の移動パターンを特定する処理装置に関するものである。
【背景技術】
【０００２】
例えば被看護者の行動を監視する装置として、下記特許文献１に開示されたコードレス型荷重検知センサ（以下、「荷重検知センサ」ともいう）を用いた監視システム（被看護者監視システム）が知られている。この種の監視システムでは、例えば、被看護者が居住する部屋の出入口等に荷重検知センサを配置し、その荷重検知センサの上に被看護者が乗ったときに、荷重検知センサが荷重の変化を検出して検出信号を出力し、受信機が検出信号を受信して、警報等を発する。このようにして、この監視システムでは、被看護者が部屋から外に出ようとしていることを把握することが可能となっている。
【先行技術文献】
【特許文献】
【０００３】
【特許文献１】特開２００９−１８６２１２号公報（第７頁、第１０図）
【発明の概要】
【発明が解決しようとする課題】
【０００４】
ところが、従来の監視システムには、以下の問題点が存在する。すなわち、従来の監視システムでは、荷重検知センサが荷重の変化を検出したときに検出信号を出力して受信機が警報等を発しているため、被看護者が部屋の外に出ようとしていないときであっても、単に荷重検知センサの上に乗っただけで警報等が発せられることとなる。また、被看護者以外の者（看護者や部外者）が部屋の中に入ろうとする場合においても、単に警報が発せられるだけであるため、被看護者が部屋の外に出ようとしている場合との区別がつかないこともある。このように、従来の監視システムには、人の移動パターンを特定することが困難であるという問題点が存在する。
【０００５】
本発明は、かかる問題点に鑑みてなされたものであり、移動体の移動パターンを特定し得る処理装置を提供することを主目的とする。
【課題を解決するための手段】
【０００６】
上記目的を達成すべく請求項１記載の処理装置は、移動体の移動に伴う荷重の変化を検出する荷重検出部と、当該荷重検出部による検出結果に基づいて第１の場所と第２の場所との間における前記移動体の移動をパターン化した複数の移動パターンの中から１つの移動パターンを特定する特定処理を実行する処理部とを備え、前記荷重検出部は、前記第１の場所と前記第２の場所とを結ぶ動線に沿って配置されて、前記荷重を受けたときに非接続状態から接続状態に切り替わるスイッチ部を複数備えると共に、当該スイッチ部毎の前記接続状態および前記非接続状態を特定可能な検出信号を前記検出結果として出力する信号出力部を備えて構成され、前記処理部は、前記特定処理において、前記スイッチ部毎の前記接続状態および前記非接続状態の切替パターンを前記検出信号に基づいて特定し、前記複数の移動パターンの中から前記切替パターンに対応する前記１つの移動パターンを特定する処理装置。
【０００７】
また、請求項２記載の処理装置は、請求項１記載の処理装置において、前記荷重検出部は、隣接する前記各スイッチ部における隣接する縁部同士が成人用靴の靴底の長さに相当する長さだけ互いに離間するように配置されている。
【０００８】
また、請求項３記載の処理装置は、請求項１または２記載の処理装置において、前記荷重検出部は、前記動線に沿って配置された一対の前記スイッチ部を備えて構成され、前記処理部は、前記特定処理において、前記一対のスイッチ部のうちの前記第１の場所および前記第２の場所のいずれか一方側に位置する第１のスイッチ部が前記非接続状態から前記接続状態に切り替わった後に当該一対のスイッチ部の他方としての第２のスイッチ部が前記非接続状態から前記接続状態に切り替わる前記切替パターンを特定したときに、前記第１の場所および前記第２の場所の前記いずれか一方から他方に向けて移動する移動パターンを前記１つの移動パターンとして特定する。
【０００９】
また、請求項４記載の処理装置は、請求項１または２記載の処理装置において、前記荷重検出部は、前記動線に沿って配置された一対の前記スイッチ部を１組とする集合体が前記動線に直交する方向に沿って複数配置されて構成され、前記処理部は、前記特定処理において、複数の移動体の前記移動パターンを前記複数の集合体の前記各検出結果に基づいて特定する。
【発明の効果】
【００１０】
請求項１記載の処理装置では、第１の場所と第２の場所とを結ぶ動線に沿って配置された複数のスイッチ部と、スイッチ部毎の接続状態および非接続状態を特定可能な検出信号を出力する信号出力部とを備えて荷重検出部が構成され、処理部が、スイッチ部毎の接続状態および非接続状態の切替パターンを検出信号に基づいて特定する。このため、この処理装置では、複数の切替パターンと複数の移動パターンとを予め対応付けておくことで、切替パターンに対応する移動パターンを確実かつ容易に特定することができる。したがって、この処理装置によれば、例えば、移動体としての人の移動パターンに応じて対応が必要な現場において使用することで、移動パターンに応じた適切な対応を素早く行うことができる。
【００１１】
また、請求項２記載の処理装置では、隣接する各スイッチ部における隣接する縁部同士が成人用靴の靴底の長さに相当する長さだけ互いに離間するように配置されている。この場合、隣接する各スイッチ部における隣接する縁部同士が近接している構成では、２つのスイッチ部に靴（足）が乗って各スイッチ部が同時に荷重を受けて２つのスイッチ部の接続状態および非接続状態が同時に切り替わることが考えられるため、このようなオンオフ状態の切り替わりを考慮して移動体の移動をパターン化する（切替パターンを規定する）必要があり、その作業がやや煩雑となる。これに対して、この処理装置では、各スイッチ部の縁部同士をこのように離間させたことで、２つのスイッチ部のオンオフ状態の同時での切り替わりが生じない（生じ難い）分、切替パターンを集約して絞り込むことができるため、切替パターンを規定する作業を簡略化することができる。
【００１２】
また、請求項３記載の処理装置では、動線に沿って配置された一対のスイッチ部を備えて荷重検出部が構成され、処理部が、各スイッチ部の一方が非接続状態から接続状態に切り替わった後に各スイッチ部の他方が非接続状態から接続状態に切り替わったときに、その切替パターンに対応する移動パターンとして第１の場所および第２の場所のいずれか一方から他方に向けて移動体が移動する移動パターンを特定する。このため、この処理装置によれば、単純な構成の荷重検出部を用いて、処理部によって単純な特定処理を実行することで、最も頻度が高い移動パターンを確実に特定することができる。
【００１３】
また、請求項４記載の処理装置では、動線に沿って配置された一対のスイッチ部を１組とする集合体が動線に直交する方向に沿って複数配置されて荷重検出部が構成されている。このため、この処理装置によれば、処理部が、複数の集合体の各検出結果に基づく特定処理を集合体毎に並行して実行することで、第１の場所と第２の場所との間を複数の移動体が移動する際の各移動体の移動パターンを確実かつ容易に特定することができる。また、この処理装置によれば、複数の集合体の各検出結果に基づく特定処理を実行することで、複数の集合体を通過するような移動体の移動パターン、つまり動線に対して斜めの方向に移動する移動パターンを確実かつ容易に特定することができる。
【図面の簡単な説明】
【００１４】
【図１】処理装置１の構成を示す構成図である。
【図２】荷重検出部１１の配置方法を説明する説明図である。
【図３】スイッチ部２１の構成を示す断面図である。
【図４】シート体３１および第１電極３２の構成を示す平面図である。
【図５】スペーサ３３の構成を示す平面図である。
【図６】荷重を受けた状態のスイッチ部２１の断面図である。
【図７】切替パターンＰｅ１〜Ｐｅ６と移動パターンＰｍ１〜Ｐｍ６との対応関係を説明する説明図である。
【図８】処理装置１の使用方法を説明する第１の説明図である。
【図９】処理装置１の使用方法を説明する第２の説明図である。
【図１０】処理装置１の使用方法を説明する第３の説明図である。
【図１１】処理装置１の使用方法を説明する第４の説明図である。
【図１２】荷重検出部１１１の構成を説明する説明図である。
【発明を実施するための形態】
【００１５】
以下、処理装置の実施の形態について、添付図面を参照して説明する。
【００１６】
最初に、処理装置の一例としての図１に示す処理装置１の構成について説明する。処理装置１は、２つの場所の間（一例として、図２に示す第１の場所としての介護施設等の居室１００と第２の場所としての居室１００の外の廊下１０４との間）における人（移動体の一例）の移動パターン（移動形態）を特定するための装置であって、図１に示すように、荷重検出部１１および制御装置１２を備えて構成されている。
【００１７】
荷重検出部１１は、人の移動に伴う荷重の変化を検出可能に構成されている。具体的には、荷重検出部１１は、図２に示すように、スイッチ部２１ａ，２１ｂ（以下、区別しないときには「スイッチ部２１」ともいう）、送信部２２およびマット２３を備えて構成されている。
【００１８】
スイッチ部２１ａ，２１ｂは、図２に示すように、第１の場所（居室１００）と第２の場所（廊下１０４）とを結ぶ動線Ｌｍ１に沿って配置される。また、スイッチ部２１ａ，２１ｂは、平面視が略矩形のシート状に形成されて、人の移動（歩行）に伴う荷重を受けたときに、オフ状態（非接続状態）からオン状態（接続状態）に切り替わるように構成されている。具体的には、スイッチ部２１ａ，２１ｂは、図３に示すように、シート体３１、第１電極３２、スペーサ３３および第２電極３４を備えて構成されている。なお、スイッチ部２１ａ，２１ｂは、平面視が略矩形の板状に形成してもよい。
【００１９】
シート体３１は、図４に示すように、非導電性材料で平面視が略矩形に形成されている。この場合、シート体３１に用いる非導電性材料としては、一例として、ナイロン、ポリ塩化ビニル、ポリプロピレンおよびＰＥＴ等の樹脂やゴムを用いることができる。
【００２０】
第１電極３２は、図３，４に示すように、例えば、導電性を有するアルミニウム等の金属で帯状に形成された独立した（互いに絶縁された）２つの導電体３２ａ，３２ｂで構成されている。この場合、各導電体３２ａ，３２ｂは、並列状態（間隔を一定に維持して並んだ状態）でシート体３１の上面３１ａに配設（貼り付け）されている。
【００２１】
スペーサ３３は、図５に示すように、非導電性および弾性を有する材料で平面視が略矩形の板状に形成されて、荷重に応じて変形可能に構成されている。この場合、スペーサ３３の材料としては、一例として、ウレタンスポンジ、ゴムスポンジおよび発泡ポリエチレン等の発泡材料やゴムを用いることができる。また、スペーサ３３には、多数の挿通孔３３ａが形成されている。また、スペーサ３３は、外周部をシート体３１の外周部に貼り付けることによってシート体３１に固定されている。
【００２２】
第２電極３４は、図３に示すように、導電性を有するアルミニウム等の金属で平面視が略矩形のシート状の１枚の（単一の）導電体で構成され、外周部をスペーサ３３の外周部に貼り付けることによってスペーサ３３に固定されている。この場合、第２電極３４は、荷重が加わったときに荷重に応じて変形し、荷重が解除されたときにスペーサ３３の復元力によって初期状態に復帰する程度の柔軟性を有している。
【００２３】
このスイッチ部２１では、図６に示すように、厚み方向に荷重が加わってスペーサ３３がその荷重に応じて厚み方向に変形したときに、スペーサ３３の挿通孔３３ａを介して第１電極３２と第２電極３４とが接触することにより、第１電極３２を構成する導電体３２ａ，３２ｂが互いに短絡し、これによってスイッチ部２１がオフ状態からオン状態に切り替わる。また、厚み方向への荷重が解除されたときには、復元力（弾性力）によってスペーサ３３が元の厚みに復元して第１電極３２と第２電極３４との接触（導電体３２ａ，３２ｂの短絡）が解除され、これによってスイッチ部２１がオン状態からオフ状態に切り替わる。
【００２４】
送信部２２は、信号出力部に相当し、スイッチ部２１ａ，２１ｂ毎のオン状態およびオフ状態（以下、オン状態およびオフ状態を合わせて「オンオフ状態」ともいう）を特定可能な検出信号を出力して制御装置１２に対して無線送信する。具体的には、送信部２２は、スイッチ部２１ａがオン状態のときには、スイッチ部２１ａがオン状態であることを示す検出信号Ｓｄａを出力し、スイッチ部２１ａがオフ状態のときには検出信号Ｓｄａの出力を停止する。また、送信部２２は、スイッチ部２１ｂがオン状態のときには、スイッチ部２１ｂがオン状態であることを示す検出信号Ｓｄｂ（以下、検出信号Ｓｄａ，Ｓｄｂを区別しないときには「検出信号Ｓｄ」ともいう）を出力し、スイッチ部２１ｂがオフ状態のときには検出信号Ｓｄｂの出力を停止する。
【００２５】
マット２３は、柔軟性および非導電性を有する材料（例えばゴムや樹脂）でシート状に形成されている。この場合、マット２３は、図２に示すように、配置状態のスイッチ部２１ａ，２１ｂおよび送信部２２を覆うことが可能な大きさの平面視が略矩形に形成されている。
【００２６】
制御装置１２は、図１に示すように、送受信部４１、操作部４２および処理部４３を備えて構成されている。送受信部４１は、荷重検出部１１の送信部２２から送信（出力）される検出信号Ｓｄを受信する。また、送受信部４１は、処理部４３の制御に従い、後述する報知信号Ｓｉを図外の外部装置（例えば、携帯型端末や監視装置等）に送信する。操作部４２は、例えばキーボードなどの入力部を備えて、処理部４３に対する特定処理の実行等を指示可能に構成されている。
【００２７】
処理部４３は、操作部４２からの指示に従い、検出信号Ｓｄ（荷重検出部１１による検出結果）に基づいて第１の場所と第２の場所との間における人の移動パターンを特定する特定処理を実行する。具体的には、処理部４３は、特定処理において、スイッチ部２１ａ，２１ｂ毎のオンオフ状態の切替パターンを検出信号Ｓｄに基づいて特定し、移動体としての人の移動をパターン化した複数の移動パターンの中から切替パターンに対応する移動パターンを特定する。また、処理部４３は、特定した移動パターンが予め規定された移動パターンのとき（例えば、第１の場所および第２の場所の一方から他方に人が移動したこと示す移動パターンのとき）には、送受信部４１を制御して、その旨を報知する報知信号Ｓｉを送信させる。
【００２８】
この場合、この処理装置１では、図７に示すように、一例として、特定処理を開始した後、最初の検出信号Ｓｄを受信（入力）した時点をスタート時点Ｔ０として、そのスタート時点Ｔ０から予め規定された経過時間Ｔ（例えば、１秒程度）が経過する時点毎のスイッチ部２１ａ，２１ｂのオンオフ状態の組み合わせに応じて、６種類の切替パターンＰｅ１〜Ｐｅ６（以下、区別しないときには「切替パターンＰｅ」ともいう）が規定されている。
【００２９】
また、この処理装置１では、図７に示すように、各切替パターンＰｅに一対一で対応付けられた６種類の移動パターンＰｍ１〜Ｐｍ６（以下、区別しないときには「移動パターンＰｍ」ともいう）が規定されている。具体的には、第１の場所から第２の場所に移動したことを示す移動パターンが移動パターンＰｍ１として規定され、第２の場所から第１の場所に移動したことを示す移動パターンが移動パターンＰｍ２として規定されている。また、第１の場所から第２の場所に向けて移動を開始した後、第２の場所まで移動する以前に第１の場所に引き返したことを示す移動パターンが移動パターンＰｍ３として規定され、第２の場所から第１の場所に向けて移動を開始した後、第１の場所まで移動する以前に第２の場所に引き返したことを示す移動パターンが移動パターンＰｍ４として規定されている。さらに、第１の場所から第２の場所に向けて移動を開始した後、第２の場所まで移動することなく荷重検出部１１の上に止まっていることを示す移動パターンが移動パターンＰｍ５として規定され、第２の場所から第１の場所に向けて移動を開始した後、第１の場所まで移動することなく荷重検出部１１の上に止まっていることを示す移動パターンが移動パターンＰｍ６として規定されている。
【００３０】
次に、処理装置１の使用方法について、図面を参照して説明する。
【００３１】
一例として、図２に示すように、介護施設の居室１００を第１の場所とすると共に、居室１００の外の廊下１０４を第２の場所とし、第１の場所と第２の場所との間における人の移動パターンを特定するときの処理装置１の使用方法について説明する。
【００３２】
この使用例では、図２に示すように、居室１００のドア１０１（出入り口１０２）の近傍に荷重検出部１１を配置する。この場合、同図に示すように、出入り口１０２を通って居室１００（第１の場所）と廊下１０４（第２の場所）との間を人が移動する際に通常通る経路に相当する動線Ｌｍ１（第１の場所と第２の場所とを結ぶ動線）に沿ってスイッチ部２１ａ，２１ｂを居室１００の床面１０３に配置する。
【００３３】
この場合、スイッチ部２１ａ，２１ｂにおける互いに隣接する縁部（同図では、スイッチ部２１ａにおける上側の縁部、およびスイッチ部２１ｂにおける下側の縁部）同士が成人用靴の靴底の長さに相当する長さ（例えば、２６ｃｍ程度）だけ互いに離間するように配置する。次いで、スイッチ部２１ａ，２１ｂにおけるシート体３１の下面を接着材を用いて床面１０３に接着して、スイッチ部２１ａ，２１ｂを床面１０３に固定する。
【００３４】
続いて、送信部２２をスイッチ部２１ａ，２１ｂの近傍に配置して、スイッチ部２１ａ，２１ｂと送信部２２とを図外のケーブルで接続する。次いで、送信部２２に対する電源供給を開始させて、送信部２２を作動させる。続いて、スイッチ部２１ａ，２１ｂおよび送信部２２の上にマット２３を覆い被せる。次いで、マット２３の縁部の下面を接着材を用いて床面１０３に接着して、マット２３を床面１０３に固定する。
【００３５】
続いて、制御装置１２の操作部４２を操作して、処理部４３に対して特定処理の実行を指示する。これに応じて、処理部４３が特定処理を実行する。この特定処理では、処理部４３は、送受信部４１によって検出信号Ｓｄａまたは検出信号Ｓｄｂが受信されたか否か（荷重検出部１１の送信部２２から検出信号Ｓｄａ，Ｓｄｂが出力されたか否か）を判別する判別処理を繰り返して実行する。
【００３６】
この状態において、例えば図８に示すように、居室１００に入居している被介護者が、居室１００のドア１０１を開けて、出入り口１０２を通って廊下１０４に出ようとして、荷重検出部１１の上を歩いて動線Ｌｍ１に沿って移動したとする。この際に、荷重検出部１１におけるスイッチ部２１ａの上に被介護者の足が乗ったときには、スイッチ部２１ａが荷重を受け、その荷重を受けた部分において、図６に示すように、第２電極３４およびスペーサ３３がスイッチ部２１ａの厚み方向に変形して、厚みが薄くなる。この際に、同図に示すように、第１電極３２を構成する導電体３２ａ，３２ｂと第２電極３４とがスペーサ３３の挿通孔３３ａを介して互いに接続されて、導電体３２ａ，３２ｂが互いに短絡する。これによってスイッチ部２１ａがオフ状態からオン状態に切り替わる。また、このオンオフ状態の切り替わり（荷重の変化）に応じて送信部２２が検出信号Ｓｄａを送信し、制御装置１２の送受信部４１が検出信号Ｓｄａを受信する。
【００３７】
この際に、上記の判別処理を繰り返して実行している処理部４３は、検出信号Ｓｄａが受信されたと判別する。次いで、処理部４３は、検出信号Ｓｄａが受信されたと判別した時点をスタート時点Ｔ０として、スタート時点Ｔ０から経過時間Ｔが経過する毎に検出信号Ｓｄａ，Ｓｄｂが受信されているか否か（受信が停止したか否か）を判別する。続いて、処理部４３は、その判別結果から、スタート時点Ｔ０および経過時間Ｔが経過する時点毎のスイッチ部２１ａ，２１ｂのオンオフ状態の切替パターンＰｅを予め規定された６つの切替パターンＰｅ１〜Ｐｅ６の中から特定する。次いで、処理部４３は、特定した切替パターンＰｅに対応付けられている移動パターンＰｍを特定する。
【００３８】
この場合、図８に示すように、被介護者が居室１００（第１の場所）から廊下１０４（第２の場所）に移動したときに、スタート時点Ｔ０においてスイッチ部２１ａがオン状態でスイッチ部２１ｂがオフ状態、１回目の経過時間Ｔの経過時点Ｔ１においてスイッチ部２１ａがオフ状態でスイッチ部２１ｂがオフ状態、２回目の経過時間Ｔの経過時点Ｔ２においてスイッチ部２１ａがオフ状態でスイッチ部２１ｂがオン状態、３回目の経過時間Ｔの経過時点Ｔ３においてスイッチ部２１ａがオフ状態でスイッチ部２１ｂがオフ状態となる切替パターンＰｅ、つまり図７に示す切替パターンＰｅ１に該当したとする。このとき（第１のスイッチ部としてのスイッチ部２１ａが非接続状態から接続状態に切り替わった後に第２のスイッチ部としてのスイッチ部２１ｂが非接続状態から接続状態に切り替わったとき）には、処理部４３は、切替パターンＰｅ１に対応付けられている移動パターンＰｍ１（第１の場所から第２の場所に移動したことを示す移動パターンＰｍ）を特定する。
【００３９】
また、処理部４３は、特定した移動パターンＰｍが、被介護者が居室１００から廊下１０４に移動したことを示す移動パターンＰｍ１を特定したため、送受信部４１を制御して、移動パターンＰｍ１が特定された旨を報知する報知信号Ｓｉを携帯型端末や監視装置等の外部装置（図示せず）に送信させる。
【００４０】
次に、検出信号Ｓｄの受信の有無を判別する判別処理を繰り返して実行している状態において、例えば図９に示すように、訪問者が廊下１０４から出入り口１０２を通って居室１００に入ろうとして、荷重検出部１１の上を歩いて動線Ｌｍ１に沿って移動したとする。この際に、荷重検出部１１におけるスイッチ部２１ｂの上に訪問者の足が乗ったときには、スイッチ部２１ｂが荷重を受けて、オフ状態からオン状態に切り替わる。また、このオンオフ状態の切り替わりに応じて送信部２２が検出信号Ｓｄｂを送信し、制御装置１２の送受信部４１が検出信号Ｓｄｂを受信する。
【００４１】
この際に、処理部４３は、検出信号Ｓｄｂが受信されたと判別し、続いて、この時点をスタート時点Ｔ０として、スタート時点Ｔ０から経過時間Ｔが経過する毎に検出信号Ｓｄａ，Ｓｄｂの受信の有無を判別する。次いで、処理部４３は、その判別結果からスタート時点Ｔ０および経過時間Ｔが経過する時点毎のスイッチ部２１ａ，２１ｂのオンオフ状態の切替パターンＰｅを予め規定された６つの切替パターンＰｅ１〜Ｐｅ６の中から特定する。続いて、処理部４３は、特定した切替パターンＰｅに対応付けられている移動パターンＰｍを特定する。
【００４２】
この場合、図９に示すように、訪問者が廊下１０４（第２の場所）から居室１００（第１の場所）に移動したときに、スタート時点Ｔ０においてスイッチ部２１ａがオフ状態でスイッチ部２１ｂがオン状態、経過時点Ｔ１においてスイッチ部２１ａがオフ状態でスイッチ部２１ｂがオフ状態、経過時点Ｔ２においてスイッチ部２１ａがオン状態でスイッチ部２１ｂがオフ状態、経過時点Ｔ３においてスイッチ部２１ａがオフ状態でスイッチ部２１ｂがオフ状態となる切替パターンＰｅ、つまり図７に示す切替パターンＰｅ２に該当したとする。このとき（第１のスイッチ部としてのスイッチ部２１ｂが非接続状態から接続状態に切り替わった後に第２のスイッチ部としてのスイッチ部２１ａが非接続状態から接続状態に切り替わったとき）には、処理部４３は、切替パターンＰｅ２に対応付けられている移動パターンＰｍ２（第１の場所から第２の場所に移動したことを示す移動パターンＰｍ）を特定する。
【００４３】
また、処理部４３は、特定した移動パターンＰｍが、訪問者が廊下１０４から居室１００に移動したことを示す移動パターンＰｍ２を特定したため、送受信部４１を制御して、移動パターンＰｍ２が特定された旨を報知する報知信号Ｓｉを送信させる。
【００４４】
次に、検出信号Ｓｄの受信の有無を判別する判別処理を繰り返して実行している状態において、例えば図１０に示すように、被介護者が、居室１００（第１の場所）から廊下１０４（第２の場所）に向けて移動を開始した後に、廊下１０４まで移動する以前に居室１００に引き返したとする。
【００４５】
この場合、図１０に示すように、スタート時点Ｔ０においてスイッチ部２１ａがオン状態でスイッチ部２１ｂがオフ状態、経過時点Ｔ１においてスイッチ部２１ａがオン状態でスイッチ部２１ｂがオフ状態、経過時点Ｔ２においてスイッチ部２１ａがオフ状態でスイッチ部２１ｂがオフ状態、経過時点Ｔ３においてスイッチ部２１ａがオフ状態でスイッチ部２１ｂがオフ状態となる切替パターンＰｅ、つまり図７に示す切替パターンＰｅ３に該当したとする。このときには、処理部４３は、切替パターンＰｅ３に対応付けられている移動パターンＰｍ３（廊下１０４まで移動する以前に居室１００に引き返したことを示す移動パターンＰｍ）を特定する。
【００４６】
この場合、特定した移動パターンＰｍが、被介護者が居室１００から廊下１０４に移動したことを示すものでもなく、また、訪問者が廊下１０４から居室１００に移動したことを示すものでもないため、処理部４３は、報知信号Ｓｉの送信を実行しない。
【００４７】
次に、検出信号Ｓｄの受信の有無を判別する判別処理を繰り返して実行している状態において、例えば図１１に示すように、訪問者が、廊下１０４（第２の場所）から居室１００（第１の場所）に向けて移動を開始したが、居室１００まで移動する以前に廊下１０４に引き返したとする。
【００４８】
この場合、図１１に示すように、スタート時点Ｔ０においてスイッチ部２１ａがオフ状態でスイッチ部２１ｂがオン状態、経過時点Ｔ１においてスイッチ部２１ａがオフ状態でスイッチ部２１ｂがオン状態、経過時点Ｔ２においてスイッチ部２１ａがオフ状態でスイッチ部２１ｂがオフ状態、経過時点Ｔ３においてスイッチ部２１ａがオフ状態でスイッチ部２１ｂがオフ状態となる切替パターンＰｅ、つまり図７に示す切替パターンＰｅ４に該当したとする。このときには、処理部４３は、切替パターンＰｅ４に対応付けられている移動パターンＰｍ４（居室１００まで移動する以前に廊下１０４に引き返したことを示す移動パターンＰｍ）を特定する。
【００４９】
この場合、特定した移動パターンＰｍが、被介護者が居室１００から廊下１０４に移動したことを示すものでもなく、また、訪問者が廊下１０４から居室１００に移動したことを示すものでもないため、処理部４３は、報知信号Ｓｉの送信を実行しない。
【００５０】
次に、検出信号Ｓｄの受信の有無を判別する判別処理を繰り返して実行している状態において、検出信号Ｓｄａが受信され、経過時点Ｔ１以後においてもその状態が継続しているとき、つまり、スイッチ部２１ａのオン状態が継続しているときには、切替パターンＰｅが図７に示す切替パターンＰｅ５に該当することとなる。このときには、処理部４３は、切替パターンＰｅ５に対応付けられている移動パターンＰｍ５（被介護者が居室１００から廊下１０４に向けて移動を開始したが廊下１０４まで移動することなく荷重検出部１１の上に止まっていることを示す移動パターンＰｍ）を特定する。
【００５１】
この場合、移動パターンＰｍ５が特定されたときには、被介護者が荷重検出部１１上で倒れている可能性がある。このため、処理部４３は、この際には、送受信部４１を制御して、移動パターンＰｍ５が特定された旨を報知する報知信号Ｓｉを送信させる。
【００５２】
次に、検出信号Ｓｄの受信の有無を判別する判別処理を繰り返して実行している状態において、検出信号Ｓｄｂが受信され、経過時点Ｔ１以後においてもその状態が継続しているとき、つまり、スイッチ部２１ｂのオン状態が継続しているときには、切替パターンＰｅが図７に示す切替パターンＰｅ６に該当することとなる。このときには、処理部４３は、切替パターンＰｅ６に対応付けられている移動パターンＰｍ６（訪問者が廊下１０４から居室１００に向けて移動を開始したが居室１００まで移動することなく荷重検出部１１の上に止まっていることを示す移動パターンＰｍ）を特定する。
【００５３】
この場合、移動パターンＰｍ６が特定されたときには、人以外の障害物が荷重検出部１１上に放置されたままとなっている可能性がある。このため、処理部４３は、この際には、送受信部４１を制御して、移動パターンＰｍ６が特定された旨を報知する報知信号Ｓｉを送信させる。
【００５４】
一方、例えば、報知信号Ｓｉを受信した携帯型端末を見たスタッフは、被介護者や訪問者が移動パターンＰｍ１，Ｐｍ２，Ｐｍ５，Ｐｍ６で示される形態で移動したことを把握することができる。このため、この処理装置１を用いることで、各移動パターンＰｍに応じて適切な対応を素早く行うことが可能となる。
【００５５】
このように、この処理装置１では、第１の場所（居室１００）と第２の場所（廊下１０４）とを結ぶ動線Ｌｍ１に沿って配置された複数（２つ）のスイッチ部２１ａ，２１ｂと、スイッチ部２１ａ，２１ｂ毎のオンオフ状態を特定可能な検出信号Ｓｄを出力する送信部２２とを備えて荷重検出部１１が構成され、処理部４３が、スイッチ部２１ａ，２１ｂ毎のオンオフ状態の切替パターンＰｅを検出信号Ｓｄに基づいて特定する。このため、この処理装置１では、複数の切替パターンＰｅと複数の移動パターンＰｍとを予め対応付けておくことで、切替パターンＰｅに対応する移動パターンＰｍを確実かつ容易に特定することができる。したがって、この処理装置１によれば、人の移動パターンＰｍに応じて対応が必要な現場において使用することで、移動パターンＰｍに応じた適切な対応を素早く行うことができる。
【００５６】
また、この処理装置１では、隣接する各スイッチ部２１における隣接する縁部同士が成人用靴の靴底の長さに相当する長さだけ互いに離間するように配置されている。この場合、隣接する各スイッチ部２１における隣接する縁部同士が近接している構成では、２つのスイッチ部２１に靴（足）が乗って各スイッチ部２１が同時に荷重を受けて２つのスイッチ部２１のオンオフ状態が同時に切り替わることが考えられるため、このようなオンオフ状態の切り替わりを考慮して移動体（人）の移動をパターン化する（切替パターンＰｅを規定する）必要があり、その作業がやや煩雑となる。これに対して、この処理装置１では、各スイッチ部２１の縁部同士をこのように離間させたことで、２つのスイッチ部２１のオンオフ状態の同時での切り替わりが生じない（生じ難い）分、切替パターンＰｅを集約して絞り込むことができるため、切替パターンＰｅを規定する作業を簡略化することができる。
【００５７】
また、この処理装置１では、動線Ｌｍ１に沿って配置された一対のスイッチ部２１を備えて荷重検出部１１が構成され、処理部４３が、各スイッチ部２１の一方がオフ状態からオン状態に切り替わった後に各スイッチ部２１の他方がオフ状態からオン状態に切り替わったときに、その切替パターンＰｅに対応する移動パターンＰｍとして第１の場所および第２の場所のいずれか一方から他方に向けて人が移動する移動パターンＰｍ（移動パターンＰｍ１，Ｐｍ２）を特定する。このため、この処理装置１によれば、単純な構成の荷重検出部１１を用いて、処理部４３によって単純な特定処理を実行することで、最も頻度が高い移動パターンＰｍを確実に特定することができる。
【００５８】
なお、処理装置１の構成は、上記の構成に限定されず、適宜変更することができる。例えば、居室１００内のドア１０１の近傍に荷重検出部１１を配置した例について上記したが、居室１００の外側（廊下１０４）におけるドア１０１の近傍に荷重検出部１１を配置することもできる。
【００５９】
また、第１の場所としての介護施設の居室１００と第２の場所としての居室１００の外の廊下１０４との間における人の移動パターンを特定する際に処理装置１を使用する例について上記したが、処理装置１の使用形態はこれに限定されず、他の様々な使用形態で使用することができる。一例として、介護施設のトイレ（居室１００内のトイレや居室１００外のトイレ）のドアの前やトイレ内に荷重検出部１１を配置して、第１の場所としてのトイレの外と第２の場所としてのトイレ内との間における人の移動パターンを特定する際に、処理装置１を使用することができる。このような使用形態で処理装置１を使用することで、例えば、トイレ内で被介護者が動けなくなるような事故の発生を把握することが可能となる。
【００６０】
また、独居高齢者の住宅や徘徊癖のある高齢者の住宅における玄関の内側や外側に荷重検出部１１を配置して、第１の場所としての住宅の内部と第２の場所としての住宅の外側との間における人の移動パターンを特定する際に、処理装置１を使用することができる。このような使用形態で処理装置１を使用することで、例えば、独居高齢者の安否の確認や、徘徊癖のある高齢者の行動（外出や帰宅の有無）の把握（監視）をすることが可能となる。
【００６１】
また、処理装置１を、介護施設の居室１００に設置されたベッドから被介護者が起き上がって床に移動しようとしていること（ベッドから離反する可能性がある旨）を報知可能な構成とすることもできる。この構成では、第１の場所としてのベッドの上と第２の場所としてのベッド近傍の床との間における人の移動パターンを特定する。具体的には、例えば、就寝状態において上体が位置するベッド上の部位に、上記したスイッチ部２１と同様のスイッチ部（以下、「上体荷重検出スイッチ」ともいう）を配置すると共に、ベッドの側部に取り付けられている手摺や柵（ベッドガード）に、荷重（握持力）を受けたときにオンオフ状態が切り替わるスイッチ部（以下、「握持力検出スイッチ」ともいう）を配置する。つまり、第１の場所（ベッドの上）と第２の場所（ベッド近傍の床）とを結ぶ動線に沿って２つのスイッチ部を配置する。
【００６２】
この構成では、例えば、就寝中の被介護者が起き上がってベッドから床に移動するために、まず上体を起こし、次いで手摺や柵を握持したときには、上体荷重検出スイッチのオンオフ状態が切り替わった後に、握持力検出スイッチのオンオフ状態が切り替わる。また、就寝中の被介護者が起き上がってベッドから床に移動するために、まず手摺や柵を握持し、次いで上体を起こしたときには、握持力検出スイッチのオンオフ状態が切り替わった後に、上体荷重検出スイッチのオンオフ状態が切り替わる。さらに、就寝中の被介護者が起き上がってベッドから床に移動するために、上体を起こすと同時に、摺や柵を握持したときには、上体荷重検出スイッチのオンオフ状態と握持力検出スイッチのオンオフ状態とが同時に切り替わる。
【００６３】
この構成では、このような、各スイッチのオンオフ状態の３種類の切替パターンに対して、ベッドから被介護者が起き上がって床に移動しようとしていることを示す移動パターンが対応付けられており、処理部４３がこのような切替パターンを特定したときには、この移動パターンを特定して、送受信部４１を制御して、この移動パターンが特定された旨（被介護者がベッドから離反する可能性がある旨）を報知する報知信号Ｓｉを携帯型端末や監視装置等の外部装置に送信させる。また、処理部４３は、予め決められた時間以内に各スイッチのうちの一方のオンオフ状態だけが切り替わり、他方のスイッチのオンオフ状態が切り替わらないとき（つまり、上記した３種類の切替パターン以外の切替パターンを特定したとき）には、報知信号Ｓｉを送信させない状態に維持する。この構成を採用することで、ベッドからの離反を規制する必要がある被介護者が、その規制に反して離反しようとしていること（離反する可能性がある旨）を、被介護者が実際にベッドから離反する以前に介護スタッフに知らせることが可能となる。なお、この構成では、居室１００の壁面等に設置されたナースコール端末に対して、報知信号Ｓｉを無線または有線で送信することもできる。また、報知信号Ｓｉを出力する各スイッチの切替パターンは、使用者の使用形態に応じて任意に変更することもできる。
【００６４】
また、図１２に示すように、商業施設１０６（第２の場所）と、その商業施設１０６に隣接するエントランス１０５（第１の場所）との間における人の移動パターンを特定する際に、処理装置１を使用することができる。このような場所において処理装置１を使用することで、例えば、商業施設１０６に出入りする単位時間当たりの人数や、時間帯別の人数を把握することができる。
【００６５】
また、このような使用形態では、上記した荷重検出部１１に代えて、図１２に示す荷重検出部１１１を用いることで、人の移動パターンをより詳細に分析することができる。この場合、荷重検出部１１１は、同図に示すように、エントランス１０５と商業施設１０６とを結ぶ動線Ｌｍ２に沿って配置されたスイッチ部２１ａ，２１ｂを１組とする集合体１１２ａ，１１２ｂ（以下、区別しないときには「集合体１１２」ともいう）が、動線Ｌｍ１に直交する方向（同図に示す矢印Ｂの方向）に沿って２つ配置されて構成されている。なお、集合体１１２を３つ以上（任意の複数）備えた構成を採用することもできる。また、この荷重検出部１１１では、同図に示すように、配置状態の各集合体１１２および送信部２２が１枚のマット１２３によって覆われているが、複数のマットで各集合体１１２や送信部２２を別々に覆ってもよい。
【００６６】
この荷重検出部１１１を用いる構成では、複数の集合体１１２を有しているため、例えば、処理部４３が、荷重検出部１１による検出結果に基づく上記した特定処理（図７に示す複数の切替パターンＰｅと複数の移動パターンＰｍが対応付けられた状態で行われる特定処理）と同様の特定処理を、各集合体１１２による各検出結果に基づいて集合体１１２毎に並行してそれぞれ実行することで、エントランス１０５と商業施設１０６との間を複数の人が移動する際の各人の移動パターンＰｍを特定することができる。
【００６７】
また、この荷重検出部１１１を用いる構成では、例えば、スタート時点Ｔ０において集合体１１２ａのスイッチ部２１ａがオン状態で、集合体１１２ａのスイッチ部２１ｂおよび集合体１１２ｂのスイッチ部２１ａ，２１ｂがオフ状態、経過時点Ｔ１において集合体１１２ａのスイッチ部２１ａ，２１ｂおよび集合体１１２ｂのスイッチ部２１ａ，２１ｂがオフ状態、経過時点Ｔ２において集合体１１２ａのスイッチ部２１ａ，２１ｂおよび集合体１１２ｂのスイッチ部２１ａがオフ状態で、集合体１１２ｂのスイッチ部２１ｂがオン状態、経過時点Ｔ３において集合体１１２ａのスイッチ部２１ａ，２１ｂおよび集合体１１２ｂのスイッチ部２１ａ，２１ｂがオフ状態となる切替パターンＰｅのときには、動線Ｌｍ２に対して右斜めの向きに移動する移動パターンＰｍであることを特定することができる。そして、このようにして特定した移動パターンＰｍから、商業施設１０６に対してどの方角から人が入場するかを分析したり、商業施設１０６から退場する人がどの方角に向かうかを分析したりすることができる。
【００６８】
また、上記の例では、２つのスイッチ部２１ａ，２１ｂを備えて荷重検出部１１や集合体１１２を構成しているが、３つ以上のスイッチ部２１を備えて荷重検出部１１や集合体１１２を構成することもできる。
【００６９】
また、スイッチ部２１の構成は上記の構成に限定されず、任意のスイッチ部２１を用いることができる。例えば、上記の例では、スイッチ部２１を構成する各構成要素の中で第２電極３４が最も上に位置する（マット２３を取り外したときに第２電極３４が露出する）ように荷重検出部１１が構成されているが、樹脂等の非導電性材料で形成した第２シート体の一面に第２電極３４を貼り合わせて、スペーサ３３を挟んで第１電極３２と第２電極３４とを対向させた状態で、貼り合わせた第２電極３４および第２シート体がスペーサ３３の上に配置される（第２シート体が最も上に位置する）ように荷重検出部１１を構成することもできる。なお、この構成では、スイッチ部２１をマット２３で覆わない状態で使用することもできる。
【００７０】
また、上記の例では、２本の導電体３２ａ，３２ｂで構成した第１電極３２を用いているが、シート状の第１電極３２を用いて、その第１電極３２と上記した第２電極３４とが接触したときにスイッチ部２１がオフ状態からオン状態に切り替わり、第１電極３２と第２電極３４とが離反したときにスイッチ部２１がオン状態からオフ状態に切り替わる構成を採用することもできる。
【００７１】
また、送信部２２が検出信号Ｓｄを無線送信する例について上記したが、検出信号Ｓｄを有線で送信する送信部を備えた構成を採用することもできる。
【００７２】
また、上記の例では、スイッチ部２１ａ，２１ｂにおける互いに隣接する縁部同士が成人用靴の靴底の長さに相当する長さ（例えば、２６ｃｍ程度）だけ互いに離間するようにスイッチ部２１ａ，２１ｂを配置したが、離間させる長さは、この長さに限定されない。例えば、成人の歩幅に相当する長さ（例えば、６０ｃｍ程度）だけ互いに離間するようにスイッチ部２１ａ，２１ｂを配置することもできる。また、互いに隣接する縁部同士が離間しないように（近接するように）スイッチ部２１ａ，２１ｂを配置することもできる。
【００７３】
また、制御装置１２に表示部を設けて、特定した移動パターンＰｍを表示部に表示する構成や、制御装置１２に記憶部を設けて、特定した移動パターンＰｍを記憶部に記憶させる構成を採用することもできる。
【００７４】
また、上記の例では、処理装置１を用いて、移動体としての人の移動パターンを特定する例について上記したが、人以外の様々な移動体（例えば、動物や自動車等の交通手段）の移動パターンを特定する際にも処理装置１を用いることができる。
【符号の説明】
【００７５】
１  処理装置
１１，１１１  荷重検出部
２１ａ，２１ｂ  スイッチ部
２２  送信部
４３  処理部
１００  居室
１０４  廊下
１０５  エントランス
１０６  商業施設
１１２ａ，１１２ｂ  集合体
Ｌｍ１  動線
Ｌｍ２  動線
Ｐｅ１〜Ｐｅ６  切替パターン
Ｐｍ１〜Ｐｍ６  移動パターン
Ｓｄａ，Ｓｄｂ  検出信号
【図１】
2016012289.tif 000003
【図２】
2016012289.tif 000004
【図３】
2016012289.tif 000005
【図４】
2016012289.tif 000006
【図５】
2016012289.tif 000007
【図６】
2016012289.tif 000008
【図７】
2016012289.tif 000009
【図８】
2016012289.tif 000010
【図９】
2016012289.tif 000011
【図１０】
2016012289.tif 000012
【図１１】
2016012289.tif 000013
【図１２】
2016012289.tif 000014